(57)【要約】【課題】加熱炉からのワークの取り出しに必要な動力の低減を図ることができるとともに、設備の小型化を図ることができる加熱装置を提供する。【解決手段】加熱装置１００は、大領域部１０１Ａおよび小領域部１０１Ｂを有する基台１０１を備えている。レール部Ｒは、基台１０１の小領域部１０１Ｂから加熱炉１１０内部まで延在している。レール部Ｒ上には、台車１３０に配置されている。台車１３０は、加熱炉１１０の内外にレール部Ｒに沿って移動可能となっている。加熱炉１１０の前面には、扉１２０が開閉機構１２１により開閉可能に設けられている。基台１０１の下面には、基台用車輪１５１およびストッパ１５２が設けられている。基台用車輪１５１は、基台１０１を移動可能とする車輪である。【選択図】図３
2010210174.tif 000002
【特許請求の範囲】
【請求項１】
加熱炉と、
前記加熱炉の側面に開閉可能に設けられた扉と、
ワークが載置される台車と、
前記扉が開いているときに、前記加熱炉の内外に前記台車を移動可能とするレール部とを備えたことを特徴とする加熱装置。
【請求項２】
前記加熱炉および前記レール部を移動可能とする車輪を備えたことを特徴とする請求項１に記載の加熱装置。
【請求項３】
前記台車は、前記加熱炉内で、前記台車の側面および後面が前記加熱炉の内面底部に対して入れ子状になるように配置され、
前記扉には、前記加熱炉の開口部に嵌合する凸部が形成されていることを特徴とする請求項１または２に記載の加熱装置。
【発明の詳細な説明】
【技術分野】
【０００１】
本発明は、ワークを加熱する加熱装置に係り、特に、加熱後のワークを加熱炉外に取り出す技術の改良に関する。
【背景技術】
【０００２】
加熱装置では、加熱炉側面あるいは上面に扉を設置し、加熱直後における金属材料等のワークの取り出しをその扉から行っている。ところが、加熱直後の炉内には高温熱気が充満しているため、扉からのワークの取り出しは困難であった。また、ワーク取り出しの際、落下等のトラブルが生じやすかった。さらに、ワークが加熱炉内で倒れた場合、ヒーター線が破損する虞があった。
【０００３】
そこで、台車移動によって加熱後のワークの出し入れを行う技術を用いることが考えられる。たとえば、特許文献１の技術では、支持部を介して建物の梁に加熱炉の上面部を支持し、ワークが載置される底部を台車として用いている。この技術では、ワークの取り出し時、加熱炉の上面部を持ち上げ、ワークが載置された底部を外部へ移動させている。
【先行技術文献】
【特許文献】
【０００４】
【特許文献１】特開平６−１５８１５５号公報
【発明の概要】
【発明が解決しようとする課題】
【０００５】
以上のような特許文献１の技術では、従来の扉からのワークの取り出し手法の問題発生を防止することができると考えられる。しかしながら、特許文献１の技術では、加熱炉の上部を持ち上げるために大きな動力が必要となり、設備の大型化を招いてしまう。
【０００６】
したがって、本発明は、加熱炉からのワークの取り出しに必要な動力の低減を図ることができるとともに、設備の小型化を図ることができる加熱装置を提供することを目的とする。
【課題を解決するための手段】
【０００７】
本発明の加熱装置は、加熱炉と、加熱炉の側面に開閉可能に設けられた扉と、ワークが載置される台車と、扉が開いているときに、加熱炉の内外に台車を移動可能とするレール部とを備えたことを特徴としている。
【０００８】
本発明の加熱装置では、加熱炉の側面に設けた扉が開いているときに、レール部によって、加熱炉の内外に台車を移動可能としているので、台車にワークを載置することにより、加熱炉外部でワークの取り出しを行うことができる。これにより、ワークの取り出し時に加熱炉内の高温熱気に触れることがないので、落下等のトラブルの発生なく、ワークの取り出しを容易に行うことができる。また、台車にワークの固定手段を適宜設けることにより、ワークの転倒を防止することができるので、加熱炉内におけるワークの転倒によるヒーター線の破損を防止することができる。そして、以上のような効果が得られるワークの取り出しは、加熱炉を持ち上げることなく行うことができるので、動力の低減を図ることができるとともに、設備の小型化を図ることができる。
【０００９】
本発明の加熱装置は種々の構成を用いることができる。たとえば加熱炉およびレール部の下面に車輪を備えることができる。従来の加熱装置では、支持部を介して建物の梁に加熱炉の上面部を支持しているので、加熱炉全体の移動が不可能であった。これに対して上記態様では、加熱炉およびレール部は、それらを持ち上げることなく、車輪により移動可能となる。
【００１０】
また、台車は、加熱炉内で、台車の側面および後面が加熱炉の内面底部に対して入れ子状になるように配置され、扉には、加熱炉の開口部に嵌合する凸部が形成されていることが好適である。この態様では、加熱炉、台車の上面、および、扉から構成される加熱室の密閉性の向上を図ることができる。この場合、加熱炉内の断熱材をセラミックスにより構成することにより、断熱効果の向上を図ることができる。
【発明の効果】
【００１１】
本発明の加熱装置によれば、加熱炉からのワークの取り出しに必要な動力の低減を図ることができるとともに、設備の小型化を図ることができる等の効果を得ることができる。
【図面の簡単な説明】
【００１２】
【図１】本発明に係る一実施形態の加熱装置の概略構成を表す上面図である。
【図２】図１に示す加熱装置の概略構成を表す前面図である。
【図３】図１に示す加熱装置の概略構成を表す側面図である。
【図４】図１に示す加熱装置の概略構成を表す後面図である。
【発明を実施するための形態】
【００１３】
以下、本発明の一実施形態について図面を参照して説明する。図１〜４は、本発明に係る一実施形態の加熱装置１００の概略構成を表す上面図、前面図、側面図、および、後面図である。なお、図１〜３では、加熱炉１１０の斜線部分はその断面構成を表し、それ以外の部分は各方向から見た構成を表している。図１の一点鎖線は、開いているときの扉１２０を示している。図１，３の一点鎖線は、加熱炉１１０の外部に出されているときの台車１３０を示している。
【００１４】
加熱装置１００は、基台１０１を備えている。基台１０１は、大領域部１０１Ａおよび小領域部１０１Ｂを有し、大領域部１０１Ａには加熱炉１１０および制御部１４０が設置され、小領域部１０１Ｂにはレール部Ｒが敷設されている。レール部Ｒは、小領域部１０１Ｂから加熱炉１１０内部まで延在している。レール部Ｒ上には、台車１３０に配置されている。台車１３０は、加熱炉１１０の内外にレール部Ｒに沿って移動可能となっている。
【００１５】
加熱炉１１０内部には、上壁部１１１、側壁部１１２、および、後壁部１１３が設けられている。側壁部１１２は、上側側壁部１１２Ａおよび下側側壁部１１２Ｂを有している。側壁部１１２および後壁部１１３は、台座１１５上に設けられている。上壁部１１１、上側側壁部１１２Ａ、後壁部１１３、扉１２０の内側部、および、台車１３０の上面部は、断熱材からなり、それら部位により、加熱室が構成されている。加熱室には、加熱室内を加熱するヒータ線Ｈおよび加熱室内の温度を計測する温度センサＳが設けられている。
【００１６】
加熱炉１１０の前面（側面）には、扉１２０が開閉機構１２１により開閉可能に設けられている。扉１２０の外部側には、作業者が扉１２０の開閉を行うための取っ手１２２が設けられている。扉１２０の内側中央部には、加熱炉１１０の開口部に嵌合する凸部１２３が形成されている。
【００１７】
台車１３０は、ワークが上面部に載置される載置台１３１と、載置台１３１の下面に設けられた滑車１３２を有している。滑車１３２は、レール部Ｒ上に配置される。載置台１３１の側面形状は、図２に示すように、下側側壁部１１２Ｂに対応する形状を有し、載置台１３１の後面形状は、図３に示すように、下側側壁部１１２Ｂの形状に対応する形状を有しており、載置台１３１は、加熱炉１１０の内面底部に対して入れ子状に配置される。載置台１３１の前面には、台車１３０を引き出すための取っ手等を設けてもよい。基台１０１の小領域部１０１Ｂには、台車１３０を固定するストッパが昇降可能に設けられている。
【００１８】
制御部１４０は、加熱炉１１０の後面（側面）側に配置されており、温度センサＳにより計測された温度に基づき、ヒータ線Ｈの制御を行う。制御部１４０の後面には、図４に示すように、制御部カバー１４１が設けられ、制御部カバー１４１には各種スイッチ１４２が設けられている。制御部カバー１４１の下部には排気口１４３が設けられている。制御部カバー１４１の上部には、加熱炉１１０内の異常発生等を知らせるシグナルタワー１４４が設けられている。制御部カバー１４１には、制御部カバー１４１を開閉するためのノブ１４５が設けられている。
【００１９】
基台１０１の下面には、車輪１５１および支持部１５２が設けられている。車輪１５１は、基台１０１を移動可能とする車輪である。支持部１５２は、所定位置で基台１０１を支持して固定する。
【００２０】
本実施形態では、加熱炉１１０の前面の扉１２０が開いているときに、レール部Ｒによって、加熱炉１１０の内外に台車１３０を移動可能としているので、台車１３０にワークを載置することにより、加熱炉１１０外部でワークの取り出しを行うことができる。これにより、ワークの取り出し時に炉１００内の高温熱気に触れることがないので、落下等のトラブルの発生なく、ワークの取り出しを容易に行うことができる。また、台車１３０にワークの固定手段を適宜設けることにより、ワークの転倒を防止することができるので、ワークの転倒によるヒーター線Ｈの破損を防止することができる。そして、以上のような効果が得られるワークの取り出しは、加熱炉１１０を持ち上げることなく行うことができるので、動力の低減を図ることができるとともに、設備の小型化を図ることができる。
【００２１】
特に、加熱炉１１０およびレール部Ｒは、それらを持ち上げることなく、車輪１５１により移動することができる。また、台車１３０は、加熱炉１１０内で、台車１３０の側面および後面が加熱炉１１０の内面底部に対して入れ子状になるように配置され、扉１２０には、加熱炉１１０の開口部に嵌合する凸部１２３が形成されているので、加熱炉１１０、台車１３０の上面、および、扉１２０から構成される加熱室の密閉性の向上を図ることができる。この場合、加熱炉１１０内の断熱材をセラミックスにより構成することにより、断熱効果の向上を図ることができる。
【符号の説明】
【００２２】
１００…加熱装置、１１０…加熱炉、１２０…扉、１３０…台車、１５１…車輪、Ｒ…レール部
【図１】
2010210174.tif 000003
【図２】
2010210174.tif 000004
【図３】
2010210174.tif 000005
【図４】
2010210174.tif 000006